(57)【要約】【課題】主感温体として形状記憶合金製の感温ばねを用いつつ、断水時において高温の湯が多量に吐水部から流出するのを有効に防止することのできる自動温度調節機能付の湯水混合弁を提供する。【解決手段】水流入口２５及び湯流入口２８と、水弁４０及び湯弁４２の開度を変化させて水と湯の流入量の比率を変化させる混合弁３８と、混合弁３８を移動させて混合水の温度を設定温度に自動調節する形状記憶合金製の主感温ばね７０と、逆方向に付勢するバイアスばね６８とを有する自動温度調節機能付の湯水混合弁１０において、断水時に設定温度よりも高温の湯のみが湯流入口２８から流入したときに、弁ケース１２内の湯との接触によりバイアスばね６８の付勢力を打ち消す方向に伸び、主感温ばね７０を補助して湯弁４２を閉弁させる力を発生させる補助感温ばね８０を、断水用の補助感温体として設けておく。【選択図】        図１
2008128277.tif 000002
【特許請求の範囲】
【請求項１】
(ａ)弁ケースに設けられた水流入口及び湯流入口と、(ｂ)該水流入口に対応した水弁及び該湯流入口に対応した湯弁を有し、該弁ケースの内部に移動可能に設けられて、それら水弁及び湯弁の開度を互いに逆の関係で大きく又は小さく変化させて水と湯の流入量の比率を変化させる混合弁と、(ｃ)前記湯弁の開度を小、前記水弁の開度を大とする方向に前記混合弁に付勢力を及ぼし、且つ混合水の温度の上昇及び低下に応じて該付勢力を強く及び弱く変化させて、該付勢力の変化により前記混合弁を移動させて該混合水の温度を設定温度に自動調節する主感温体としての形状記憶合金製の感温ばねと、(ｄ)該混合弁を該感温ばねとは逆方向に付勢するバイアスばねと、を有する自動温度調節機能付の湯水混合弁において
前記水流入口への水の供給が無くなって前記設定温度よりも高温の湯のみが前記湯流入口から流入したときに、前記弁ケース内の湯との接触により前記バイアスばねの付勢力を打ち消す方向に伸び、前記感温ばねを補助して前記湯弁を閉弁させる力を発生させる補助感温体を、該感温ばね及び前記バイアスばねとは別に断水用の補助感温体として設けたことを特徴とする自動温度調節機能付の湯水混合弁。
【請求項２】
請求項１において、前記補助感温体が、変態温度域が前記水流入口へ供給される水の温度よりも高温域である形状記憶合金製の感温ばねであることを特徴とする自動温度調節機能付の湯水混合弁。
【請求項３】
請求項２において、前記主感温体としての感温ばねに対して前記補助感温体としての感温ばねは変態温度域が高温域であることを特徴とする自動温度調節機能付の湯水混合弁。
【請求項４】
請求項３において、前記補助感温体としての感温ばねが混合室内に前記主感温体としての感温ばねと並列に設けてあることを特徴とする自動温度調節機能付の湯水混合弁。
【請求項５】
請求項１において、前記補助感温体が、前記水流入口への水の供給がある通常時には前記弁ケース内で水に接水し、断水時に湯の流入する空間内の位置に配置してあることを特徴とする自動温度調節機能付の湯水混合弁。
【請求項６】
請求項５において、前記湯水混合弁が、前記水流入口からの水の流れが下流側の前記湯流入口からの湯の流れとともに、更に下流側の混合室へと流れる弁構造のものであり、前記補助感温体が、該水流入口に続く水流入室又は該水流室に連通した前記バイアスばね側の空間内に配置してあることを特徴とする自動温度調節機能付の湯水混合弁。
【請求項７】
請求項５において、前記湯水混合弁が、前記湯流入口からの湯の流れが下流側の前記水流入口からの水の流れとともに、更に下流側の混合室へと流れる弁構造のもので、該混合室と該混合室の外周側の水流入室とが隣接しており、該水流入室に前記補助感温体が配置してあるとともにそれら混合室と水流入室との間に仕切壁が形成してあることを特徴とする自動温度調節機能付の湯水混合弁。
【請求項８】
請求項５〜７の何れかにおいて、前記補助感温体として、変態温度域が水の温度よりも高温域である形状記憶合金製の感温ばねが用いられていることを特徴とする自動温度調節機能付の湯水混合弁。
【発明の詳細な説明】
【技術分野】
【０００１】
この発明は湯水混合弁に関し、特に形状記憶合金製の感温ばねを用いた自動温度調節機能付（サーモスタット式）の湯水混合弁に関する。
【背景技術】
【０００２】
従来、混合水の温度を自動的に設定温度に調節する自動温度調節機能付（サーモスタット式）の湯水混合弁として、(ａ)弁ケースに設けられた水流入口及び湯流入口と、(ｂ)水流入口に対応した水弁及び湯流入口に対応した湯弁を有し、弁ケースの内部に移動可能に設けられて、それら水弁及び湯弁の開度を互いに逆の関係で大きく又は小さく変化させて水と湯の流入量の比率を変化させる混合弁と、(ｃ)湯弁の開度を小、水弁の開度を大とする方向に混合弁に付勢力を及ぼし、且つ混合水の温度の上昇及び低下に応じて付勢力を強く及び弱く変化させて、その付勢力の変化により混合水の温度を設定温度に自動調節する主感温体としての形状記憶合金製の感温ばねと、(ｄ)混合弁を感温ばねとは逆方向に付勢するバイアスばねと、を有するものが公知である。
【０００３】
感温体として、混合水の温度に感応してワックスを膨張及び収縮させ、混合弁の位置を自動的に調節するようになしたものも知られているが、感温体としてかかる形状記憶合金製の感温ばねを用いた場合、混合水の温度変化に対する追従性が良好で、混合水の温度変化に反応して速やかに混合弁の位置を微調節できる利点を有している。
【０００４】
例えば下記特許文献１に、感温体として形状記憶合金製の感温ばねを用いたこの種形式の自動温度調節機能付の湯水混合弁が開示されている。
図７はその具体例を示している。
【０００５】
同図において２００，２０２は弁ケース２０４に形成された水流入口，湯流入口で、２０１，２０３はそれら水流入口２００に続いて形成された水流入室，湯流入口２０２に続いて形成された湯流入室である。
２０６は軸方向に離隔して設けられた水弁２０８，湯弁２１０及びそれらを軸方向に連繋する連繋部２１２を備えた混合弁で、弁ケース２０４内に軸方向に移動可能に設けられている。
弁ケース２０４には、これら水弁２０８，湯弁２１０の間の位置において、水弁２０８，湯弁２１０に各対応して水側弁座２１４，湯側弁座２１６が設けられており、それらに対し水弁２０８，湯弁２１０がそれぞれ当接するようになっている。
【０００６】
混合弁２０６は、通常の鋼製のコイルばねから成る第１バイアスばね２１８，第２バイアスばね２２０にて図中左向き、即ち水弁２０８を閉弁させる方向に付勢されており、また混合室２２２内に設けられた形状記憶合金製のコイルばねから成る感温ばね２２４によりこれとは反対方向の図中右向き、即ち湯弁２１０を閉弁させる方向に付勢されている。
ここで混合室２２２は、湯流入口２０２に対し水流入口２００とは軸方向の反対側に形成されている。
即ち、水流入口２００から流入した水の流れが、下流側の湯流入口２０２からの湯の流れとともに、更に下流側の混合室２２２へと流れるようになっている。
【０００７】
尚、混合弁２０６の連繋部２１２は断面形状が概略十字状をなしており、中心部から放射方向に延び出した板状部２２６と２２６との間に、内部通路２２８が軸方向に形成されている。
水流入口２００を通じて流入した水は、この内部通路２２８を通じて図中左向きに流れ、混合室２２２へと到る。
【０００８】
尚、湯流入口２０２を通じて内部に流入した湯は、内部通路２２８を通じて混合室２２２へと図中左向きに流れ、その混合室２２２で水と湯とが混合された上で、混合水が吐水部に向けて図中左方向に流出する。
【０００９】
２３０は回転操作軸で、この回転操作軸を回転操作することで第１バイアスばね２１８及び第２バイアスばね２２０の付勢力が強く又は弱く変更され、これにより混合弁２０６の図中左右方向の位置、詳しくは第１バイアスばね２１８，第２バイアスばね２２０と感温ばね２２４との付勢力の釣合い位置が左右方向にシフトせしめられる。即ち湯水混合弁における混合水の温度が所望温度に設定されないしは設定変更される。
【００１０】
この湯水混合弁では、混合弁２０６が図中左向きに一杯まで移動して水弁２０８が水側弁座２１４に当接することで、水弁２０８が全閉、湯弁２１０が全開となり、また逆方向に一杯まで移動して湯弁２１０が湯側弁座２１６に当接することで、湯弁２１０が全閉、水弁２０８が全開状態となる。
【００１１】
またそれらの中間位置において水弁２０８及び湯弁２１０を開き且つその開度を変化させて水，湯の流入量を変化させる。
具体的には、湯弁２１０が全閉、水弁２０８が全開状態の下で回転操作軸２３０を回転（正方向回転）操作すると、第１バイアスばね２１８，第２バイアスばね２２０の付勢力が強まって混合弁２０６が図中左方向にシフトさせられる。
そしてそのシフトした状態において第１バイアスばね２１８，第２バイアスばね２２０による左向きの付勢力と、感温ばね２２４による右向きの付勢力とが釣合った状態となり、その状態で水流入口２００及び湯流入口２０２から流入する水と湯の混合水の温度が変動すると、これに伴って感温ばね２２４が付勢力を増減させ、感温ばね２２４が軸方向の伸縮を伴って混合弁２０６を左右方向に微動させる。これにより混合水の温度が設定温度に維持される。
【００１２】
また一方回転操作軸２３０を逆方向に回転操作すると、第１バイアスばね２１８及び第２バイアスばね２２０の付勢力が低下し、これにより混合弁２０６が図中右向きにシフトさせられる。そしてそのシフト位置において、感温ばね２２４の温度感知に基づく付勢力の増減によって混合水温度が調節される。
【００１３】
ところでこの湯水混合弁における形状記憶合金製の感温ばね２２４は、変態温度域の中心温度が、通常最もよく使用される混合水温度の４０℃となるように調整され、従って感温ばね２２４は、図３（Ｂ）に示しているようにその４０℃を中心として、その前後の温度域で付勢力が最も大きく変化する動作特性を有している。
【００１４】
この形状記憶合金製の感温ばね２２４は、上記のようにワックスの膨張収縮を利用した感温体に比べて、混合水の温度の変化に対する追従性が良好である利点を有する反面で、動作温度域が十分に広くなく、そのため断水により水流入口２００への水の供給が無くなって、湯流入口２０２から設定温度より高温の湯のみが流入したとき、感温ばね２２４の付勢力が設定温度からの温度上昇分に応じた増大幅で付勢力を大きくすることができず、湯弁２１０を閉弁させる力が弱いといった問題が内在していた。
而して断水時に湯弁２１０を閉じるための付勢力が弱いと、吐水部から高温の湯が多量に出てしまう危険性がある。
【００１５】
以上感温ばねを用いた自動温度調節機能付の湯水混合弁の一例について問題点を述べたが、こうした問題は感温ばねを用いた他の様々な形態の自動温度調節機能付の湯水混合弁においても生じる。
【００１６】
尚、本発明の先行技術として特許文献２に開示されたものがあるが、この特許文献２に開示のものは、主感温体としてワックスの膨張収縮を利用した感温体を用いたもので、断水時の問題点を解決するものではなく、本発明とは異なったものである。
またこのようなワックスの膨張収縮を利用した感温体の場合、断水が生じれば自動的に湯弁を閉じる特性を有しており、主感温体として形状記憶合金製の感温ばねを用いた場合の問題点を有しないものである。
【００１７】
【特許文献１】特開２００１−４０５０号公報
【特許文献２】特開平８−１０５５７２号公報
【発明の開示】
【発明が解決しようとする課題】
【００１８】
本発明は以上のような事情を背景とし、感温体として形状記憶合金製の感温ばねを用いつつ、断水時において高温の湯が多量に吐水部から流出するのを有効に防止することのできる自動温度調節機能付の湯水混合弁を提供することを目的としてなされたものである。
【課題を解決するための手段】
【００１９】
而して請求項１のものは、(ａ)弁ケースに設けられた水流入口及び湯流入口と、(ｂ)該水流入口に対応した水弁及び該湯流入口に対応した湯弁を有し、該弁ケースの内部に移動可能に設けられて、それら水弁及び湯弁の開度を互いに逆の関係で大きく又は小さく変化させて水と湯の流入量の比率を変化させる混合弁と、(ｃ)前記湯弁の開度を小、前記水弁の開度を大とする方向に前記混合弁に付勢力を及ぼし、且つ混合水の温度の上昇及び低下に応じて該付勢力を強く及び弱く変化させて、該付勢力の変化により前記混合弁を移動させて該混合水の温度を設定温度に自動調節する主感温体としての形状記憶合金製の感温ばねと、(ｄ)該混合弁を該感温ばねとは逆方向に付勢するバイアスばねと、を有する自動温度調節機能付の湯水混合弁において、前記水流入口への水の供給が無くなって前記設定温度よりも高温の湯のみが前記湯流入口から流入したときに、前記弁ケース内の湯との接触により前記バイアスばねの付勢力を打ち消す方向に伸び、前記感温ばねを補助して前記湯弁を閉弁させる力を発生させる補助感温体を、該感温ばね及び前記バイアスばねとは別に断水用の補助感温体として設けたことを特徴とする。
【００２０】
請求項２のものは、請求項１において、前記補助感温体が、変態温度域が前記水流入口へ供給される水の温度よりも高温域である形状記憶合金製の感温ばねであることを特徴とする。
【００２１】
請求項３のものは、請求項２において、前記主感温体としての感温ばねに対して前記補助感温体としての感温ばねは変態温度域が高温域であることを特徴とする。
【００２２】
請求項４のものは、請求項３において、前記補助感温体としての感温ばねが混合室内に前記主感温体としての感温ばねと並列に設けてあることを特徴とする。
【００２３】
請求項５のものは、請求項１において、前記補助感温体が、前記水流入口への水の供給がある通常時には前記弁ケース内で水に接水し、断水時に湯の流入する空間内の位置に配置してあることを特徴とする。
【００２４】
請求項６のものは、請求項５において、前記湯水混合弁が、前記水流入口からの水の流れが下流側の前記湯流入口からの湯の流れとともに、更に下流側の混合室へと流れる弁構造のものであり、前記補助感温体が、該水流入口に続く水流入室又は該水流室に連通した前記バイアスばね側の空間内に配置してあることを特徴とする。
【００２５】
請求項７のものは、請求項５において、前記湯水混合弁が、前記湯流入口からの湯の流れが下流側の前記水流入口からの水の流れとともに、更に下流側の混合室へと流れる弁構造のもので、該混合室と該混合室の外周側の水流入室とが隣接しており、該水流入室に前記補助感温体が配置してあるとともにそれら混合室と水流入室との間に仕切壁が形成してあることを特徴とする。
【００２６】
請求項８のものは、請求項５〜７の何れかにおいて、前記補助感温体として、変態温度域が水の温度よりも高温域である形状記憶合金製の感温ばねが用いられていることを特徴とする。
【発明の作用・効果】
【００２７】
以上のように本発明は、水流入口への水の供給が無くなって、設定温度よりも高温の湯のみが湯流入口から流入したとき、弁ケース内の湯との接触によりバイアスばねの付勢力を打ち消す方向に伸び、感温ばねを補助して湯弁を閉弁させる力を発生させる補助感温体を、主感温体としての感温ばね及びバイアスばねとは別に、断水用の補助感温体として設けたもので、本発明によれば、断水時に補助感温体の働きにより確実に湯弁を閉弁させることができ、従って吐水部から高温の湯が多量に流出する危険を未然に防止することができる。
ここで補助感温体は、主感温体としての感温ばねの自動温調動作に影響を及ぼさないものとなしておくことが望ましい。
【００２８】
この請求項１では、補助感温体として、変態温度域（即ち動作温度域）が水流入口へ供給される水の温度よりも高温域である形状記憶合金製の感温ばねを用いることができる（請求項２）。
【００２９】
この場合において、かかる補助感温体としての感温ばねは、主感温体としての感温ばねに対し変態温度域、即ち温度変化に対し付勢力の増減変化が最も大となる動作温度域の異なるものとなしておくことができる。
【００３０】
特に、補助感温体としての感温ばねは、主感温体としての感温ばねに対し、変態温度域が高温域であるものとなしておくことができる（請求項３）。
【００３１】
このような動作温度特性を有する感温ばねを用いた場合、断水時に湯と接する位置であれば、その配置位置は何処でも良く、断水時に補助感温体としての感温ばねの働きにより確実に湯弁を閉じて吐水部から高温の湯が多量に流出するのを防止することができる。
【００３２】
例えば主感温体としての感温ばねは、変態温度域の中心が通常最もよく使用される混合水の温度４０℃であるようなもの、即ち４０℃を中心としてその前後の温度で付勢力が最も大きく変化する動作特性を有するものが用いられる。
これに対して補助感温体としての感温ばねは、変態温度域の中心が４０℃よりも高温のもの、例えば８０℃であるようなもの、つまり８０℃を中心としてその前後の温度で付勢力が最も大きく変化するような高温の動作温度特性を有するものを用いることができる。
この請求項３によれば、補助感温体としての感温ばねの配置位置の選択の自由度が高い利点が得られる。
【００３３】
このような高温域を動作温度域とする感温ばねを補助感温体として用いた場合、かかる感温ばねを混合室内に主感温体としての感温ばねと並列に設けておくことができ（請求項４）、補助感温体を設けるための特別のスペースを別途に用意しなくてもよい利点が得られる。
【００３４】
次に請求項５は、補助感温体を、水流入口への水の供給がある通常時には弁ケース内で給水に接水し且つ断水時に湯の流入する空間内の位置に配置したもので、この請求項６によれば、補助感温体は通常時は給水に接水した状態にあり、断水時に初めて湯に接することとなるため、その動作温度域が水の温度よりも高温域のものであれば、かかる感温体として様々な動作温度特性を有するものを用いることが可能である。
【００３５】
本発明では、請求項５に従って補助感温体を弁ケース内で水に接水する位置に配置する場合において、湯水混合弁が、水流入口からの水の流れが下流側の湯流入口からの湯の流れとともに、更に下流側の混合室へと流れる弁構造のものであるとき、補助感温体を水流入口に続く水流入室又は水流入室に連通したバイアスばね側の空間内に配置しておくことができる（請求項６）。
【００３６】
これらの補助感温体の配置位置は何れも通常時は水に接水し、断水時において初めて湯に接する位置であるため、それらの位置に補助感温体を配置しておくことで、かかる補助感温体を容易に断水時にだけ働かせて湯弁を閉弁させるようになすことができる。
【００３７】
一方湯水混合弁が、湯流入口からの湯の流れが下流側の水流入口からの水の流れとともに、更に下流側の混合室へと流れる弁構造のもので、且つ混合室とその外周側の水流入室とが隣接するものであるとき、その水流入室に補助感温体を配置し、そしてそれら混合室と水流入室との間に仕切壁を形成しておくことができる（請求項７）。
【００３８】
この場合においても、断水が生じたときに初めて補助感温体にバイアスばねの力を打ち消す方向の力を発生させ、これにより湯弁を閉弁させて高温の湯が吐水部から吐水されるのを防止することができる。
【００３９】
この弁構造の湯水混合弁では、混合室と水流入室とが近い位置にあり、そこでそれらの間に仕切壁を形成して、その外側に補助感温体を配置しておくことで、通常の使用時において感温体が混合室内の混合水と接することで閉弁の力を発生させてしまう不具合を良好に防止することができる。
【００４０】
これら請求項５〜７において、前記補助感温体として、変態温度域が水の温度よりも高温域である形状記憶合金製の感温ばねを用いることができる。
この場合において、感温ばねとしては水の温度よりも高温側で動作するものであれば、任意の動作温度域を有するものを用いることができる（請求項８）。
【００４１】
この場合においても、補助感温体としての感温ばねは、通常時水に接水していることによって湯弁を閉弁させる力を発生させず、断水によって感温ばねが湯と接することによって、初めてそこで湯弁を閉弁させるための力を発生する。
【発明を実施するための最良の形態】
【００４２】
次に本発明の実施形態を図面に基づいて詳しく説明する。
図１において、１０は本実施形態の自動温度調節機能付（サーモスタット式）の湯水混合弁で、１２は弁ケースである。
弁ケース１２は、図中中央部の円筒形状をなす第１部材１２-１と、図中右端側の円筒形状をなす第２部材１２-２と、左端側のばね受けを兼ねたキャップ状の第３部材１２-３とを有している。
ここで第１部材１２-１と第２部材１２-２とは、ねじ結合されており、そしてそれらの間がＯリング１４にて水密にシールされている。
一方第３部材１２-３は、図中右端に係止爪１３を有し、その係止爪１３が第１部材１２-１の係止孔１５に係止されることで、かかる第１部材１２-１に組み付けられている。
【００４３】
弁ケース１２には、後述の混合弁３８を弁ケース１２の内部で軸方向即ち左右方向に移動させて、混合水の温度を設定操作する回転操作軸１６が組み付けられている。
この回転操作軸１６は、弁ケース１２の内部に円筒部１８を有している。また中間部に弁ケース１２の嵌合孔２０に回転可能に嵌合する嵌合軸部２２を有し、更に図中右端側に弁ケース１２から突き出したハンドル連結部２４を有している。
【００４４】
ハンドル連結部２４の外周面にはセレーション部２６が設けられており、このセレーション部２６においてハンドル連結部２４が図示を省略するハンドルに一体回転状態に連結されるようになっている。
尚、嵌合軸部２２と嵌合孔２０との間はＯリング１４にて水密にシールされている。
【００４５】
弁ケース１２には水流入口２５，湯流入口２８が弁ケース１２を内外に貫通する状態で形成されており、更にこれら水流入口２５，湯流入口２８に続いて弁ケース１２内部に水流入室３０，湯流入室３２が形成されている。
水流入口２５から流入した水の流れは、水流入室３０を経て図中左向きに流れ、そしてその下流側で湯流入口２８から流入した湯の流れが湯流入室３２を経て水の流れとともに混合室３４に流れ込み、そこで水と湯とが混合されて、その混合水が流出部３６から吐水部に向けて流出する。
【００４６】
弁ケース１２の内部には、混合弁３８が図中左右方向に移動可能に設けられている。
混合弁３８は、軸方向に離隔して設けられた水弁４０，湯弁４２及びそれらを軸方向に連繋する連繋部４４を有している。ここで水弁４０と湯弁４２との外周面にはシール部材４６が装着され、それらシール部材４６にて水弁４０と弁ケース１２との間、及び湯弁４２と弁ケース１２との間が水密にシールされている。
【００４７】
この実施形態では、連繋部４４が湯弁４２と一体に成形され、水弁４０に対し嵌合状態で組み付けられている。
詳しくは、図２に示しているように連繋部４４は全体として十字状をなすように中心部から放射状に延びる複数（ここでは４つ）の板状のアーム４８と、これらアーム４８から軸方向に突き出した円筒部５０とを一体に有している。
ここで各アーム４８は湯弁４２の内側に形成されており、そしてこのアーム４８から円筒部５０が湯弁４２より軸方向に突き出す状態で設けられている。
【００４８】
一方、水弁４０には図２に示しているように、その内側に段付形状をなす円筒形状の嵌合部５２が形成されており、その嵌合部５２が、段付部５４を円筒部５０の先端面に当接させる状態に円筒部５０に外嵌状態に嵌合され組み付けられている。
円筒部５０の内周面には雌ねじ部５６が形成されており、そこに弁軸５８の先端部に形成された雄ねじ部６０がねじ込まれている。
【００４９】
この弁軸５８には、環状の鍔状をなす押え部６２が形成されており、弁軸５８の雄ねじ部６０が円筒部５０の雌ねじ部５６にねじ込まれることにより、この押え部６２が水弁４０を円筒部５０に対して軸方向に押え付けている。
即ちこれら雌ねじ部５６と雄ねじ部６０及び押え部６２とによって、水弁４０が連繋部４４に対して強固に組付固定されている。
【００５０】
弁ケース１２には水弁４０，湯弁４２の間の位置において、それらに各対応した水側弁座６４，湯側弁座６６が設けられており、それらに対して水弁４０，湯弁４２がそれぞれ当接するようになっている。
【００５１】
上記混合弁３８は、鋼製のコイルばねからなるバイアスばね６８にて図中左向き、即ち水弁４０を閉弁させる方向に付勢されており、また混合室３４内に設けられた形状記憶合金製のコイルばねからなる主感温体としての主感温ばね７０により、これとは反対方向の図中右向き、即ち湯弁４２を閉弁させる方向に付勢されている。
【００５２】
上記回転操作軸１６における円筒部１８には、その内周面に雌ねじ部６９が形成されており、この雌ねじ部６９に対して円筒形状をなす進退部材７１が、その外周面の雄ねじ部７２において螺合されている。
従って回転操作軸１６を回転操作すると、これら雌ねじ部６９と雄ねじ部７２との螺合によるねじ送り作用で、進退部材７１が図中左右方向に進退移動させられる。
【００５３】
この進退部材７１には、図中右端部に段付部７５が内向きに形成されており、そこにストッパリング７７が図中右向きに当接させられている。
そしてこのストッパリング７７と、円筒形状をなすばね受け７４の図中左端の内向き且つ環状の鍔状部８３との間に、上記のバイアスばね６８が介装されている。
バイアスばね６８は、水弁４０に軸方向に当接するばね受け７４を介して混合弁３８に対し、その付勢力を図中左向きに及ぼしている。
【００５４】
ばね受け７４は、図中右端に内向き且つ環状の係合部７６を有し、この係合部７６が進退部材７１の上記雄ねじ部７２と図中左端の環状且つ外向きのストッパ部７８との間を、軸方向に相対移動可能とされている。
このばね受け７４は、係合部７６が進退部材７１のストッパ部７８に当接することで軸方向位置が規制され、進退部材７１から抜け防止される。
尚、上記弁軸５８の図中右端部には大径の頭部８１が設けられている。この頭部８１は、ストッパリング７７の内径よりも大径である。
【００５５】
上記混合室３４内部には、形状記憶合金製のコイルばねからなる補助感温ばね（補助感温体）８０が主感温ばね７０の内側に且つ主感温ばね７０と並列に設けられている。
この補助感温ばね８０は図中左端をばね受けとしての弁ケース１２の第３部材１２-３の底部に当接させ、また右端を混合弁３８の湯弁４２に当接させている。
【００５６】
この補助感温ばね８０は、断水時に主感温ばね７０を補助し、バイアスばね６８の付勢力を打ち消す方向に混合弁３８に対して強い付勢力を発生させる。
但しこの実施形態において主感温ばね７０は図３（Ｂ）に示すＰを動作温度域とし（厳密には主動作温度域。以下同じ）、また補助感温ばね８０は図３（Ａ）に示すＰを動作温度域とするものである。
【００５７】
詳しくは、主感温ばね７０は低温側のマルテンサイト相から高温側のオーステナイト相への変態温度域のほぼ中心温度が４０℃となるように調整されており、従ってこの主感温ばね７０は、４０℃を中心とした前後の温度域で付勢力を直線的に最も大きく変化させる。
【００５８】
一方補助感温ばね８０は、図３（Ａ）に示しているように主感温ばね７０に対して変態温度域が高温域とされている。
ここでは補助感温ばね８０は、低温側のマルテンサイト相から高温側のオーステナイト相への変態温度域のほぼ中心温度が８０℃となるように調整されている。
従って補助感温ばね８０は、この８０℃を中心とした前後の温度域で付勢力が直線的に最も大きく変化する。
【００５９】
この実施形態の湯水混合弁１０では、回転操作軸１６を正方向に回転操作して進退部材７１を図中左方向に前進移動させると、バイアスばね６８が圧縮せしめられて、混合弁３８に対する図中左向きの付勢力を増大させる。
また回転操作軸１６を逆方向に回転操作すると、進退部材７１が図中右向きに後退移動させられて、バイアスばね６８が伸びる方向に変位し、混合弁３８に対する図中左向きの付勢力を弱くする。
【００６０】
この実施形態の湯水混合弁１０では、水流入口２５への水の供給が行われる通常時においては、このようにして回転操作軸１６を正方向又は逆方向に回転操作することで、混合弁３８がバイアスばね６８の図中左向きの付勢力と、主感温ばね７０による図中右向きの付勢力とが釣り合う位置に左右方向にシフトせしめられる。即ち湯水混合弁１０における混合水の温度が設定され或いは設定変更される。
【００６１】
そしてそのシフト位置において主感温ばね７０が、混合水温度に感応してその付勢力を増減させることにより、即ち混合水温度が設定温度よりも高温側であるときには付勢力を増大させ、また混合水温度が設定温度よりも低温側であるときには、その付勢力を弱くすることによって、混合弁３８を図中左右方向に微動させ、混合水温度を自動的に設定温度に調節する。
【００６２】
尚このとき、補助感温ばね８０は主感温ばね７０の図３（Ｂ）中Ｐで示す動作温度域では殆んどその付勢力を増大させず、断水により水流入口２５への給水が停止し、湯流入口２８から高温の湯のみが弁ケース１２内部に流入したとき、即ち混合室３４に流入したとき、そこで初めて混合室３４内部に流入する高温の湯に反応して、図３（Ａ）で示す動作温度域Ｐで動作を行って付勢力を高め、主感温ばね７０を補助して混合弁３８を図中右向きに押し、湯弁４２を強制的に閉弁させる。
【００６３】
但し場合によって補助感温ばね８０は、図３（Ａ）で示す動作温度域Ｐの低温側の一部を主感温ばね７０の図３（Ｂ）中の動作温度域Ｐの高温側の一部と重複させても良い。
この場合には、混合水温度が、主感温ばね７０の動作温度域の高温側では補助感温ばね８０の付勢力の増大が付加されることとなる。
【００６４】
以上のような本実施形態によれば、断水時に補助感温ばね８０の働きにより確実に湯弁４２を閉弁させることができ、従って吐水部から高温の湯が多量に流出するのを防止することができる。
【００６５】
この場合において、補助感温ばね８０は、主感温ばね７０の通常の温調動作特性に影響を及ぼさないものとなしておくことができる。
【００６６】
本実施形態に従って、主感温ばね７０よりも高温で動作する補助感温ばね８０を用いることで、かかる補助感温ばね８０を、混合室３４内に主感温ばね７０と並列に設けておくことができ、補助感温ばね８０を設けるための特別のスペースを別途に用意しなくてもよい利点が得られる。
【００６７】
次に図４は本発明の他の実施形態を示している。
この実施形態では、上記実施形態と異なって水流入口２５に続く水流入室３０の内部に形状記憶合金製の補助感温ばね（補助感温体）８２が配置されている。
ここで補助感温ばね８２は、図中右端を水弁４０に当接させ、また左端を弁ケース１２側に当接させている。詳しくは、弁ケース１２に一体又は別体に構成されて弁ケース１２に固設された当接部８４に当接させている。
【００６８】
この実施形態では、かかる補助感温ばね８２として図３（Ａ）に示すもの、即ち高温域を動作温度域とするもの、また図３（Ｂ）に示すように中温域を動作温度域とするもの、或いは図３（Ｃ）に示しているように低温域を動作温度域とするものなど、何れを用いることも可能である。但し何れの場合においても水の温度よりも高温側に動作温度域を有するものである必要がある。
ここで図３（Ｃ）のものは、変態温度域の中心温度が約２０℃のものであり、従って図３（Ｃ）に示すものは２０℃を中心とした前後の温度域で変態に伴う付勢力をほぼ直線的に最大に変化させる。
【００６９】
この実施形態において、補助感温ばね８２は水流入口２５から流入する水に全体が接水した状態にあり、従ってその状態ではバイアスばね６８の付勢力を打ち消す方向に強い力を発生させることはない。即ち湯弁４２を閉弁させる力を発生させることはない。
【００７０】
一方、断水が生じて水流入口２５への水の供給がなくなり、弁ケース１２内に湯流入口２８から高温の湯のみが流入すると、弁ケース１２内に流入した湯が、この水流入室３０まで入り込んでくることから、かかる補助感温ばね８２が、その高温の湯に反応して変態を生じ、水弁４０に対して即ち混合弁３８に対して図中右向きに強い力を発生させる。
このため混合弁３８は、その感温ばね８２で生じた強い力により図中右向きに移動して湯弁４２を閉弁させ、湯流入口２８から引き続き高温の湯が流入するのを防止する。
尚、図４の湯水混合弁において他の構成については基本的に図１に示したものと同様であり、符号のみを示して詳しい説明は省略する。
【００７１】
以上のような本実施形態によれば、補助感温ばね８２は常時は水に接水した状態にあり、断水時に初めて湯に接することとなるため、その動作温度域が水の温度よりも高温のものであれば、様々な動作温度域を有するものを用いることが可能である。
【００７２】
図５は本発明の更に他の実施形態を示している。
この例は、第１バイアスばね６８-１と第２バイアスばね６８-２とによって混合弁３８を図中左向きに付勢するようにし、またそれら第１バイアスばね６８-１，第２バイアスばね６８-２を内部に収容する弁ケース１２内のばね収容室８６内に形状記憶合金製の補助感温ばね（補助感温体）８８を配置した例である。
【００７３】
ここでばね収容室８６は水流入室３０及び水流入口２５に連通しており、断水時においては湯流入口２８から流入した湯が、このばね収容室８６内部にも流入し、このとき補助感温ばね８８はそこに流入した高温の湯に接する状態となる。
【００７４】
補助感温ばね８８は図中右端をばね受け７４に当接させ、また左端を弁ケース１２に固定されて径方向内向きに突出した当接部９０に当接させる状態に設けられている。
尚第１バイアスばね６８-１は、ばね受け７４に対し図中右端を当接させ、また第２バイアスばね６８-２は、図中左端をばね受け７４に当接させている。
【００７５】
この実施形態においても、補助感温ばね８８は水流入口２５から水が流入する通常時においては常時ばね収容室８６内部に入り込んだ水に対してその全体が接水するものであり、従って図３（Ａ）〜（Ｃ）の何れの動作温度域を有するものでも用いることが可能である。
そして何れの場合においても、通常時においては混合弁３８に対してこれを閉弁させるための力を発生させることはない。
即ち通常時においては主感温ばね７０による混合弁３８の位置制御、即ち温度制御には影響を与えない。
【００７６】
一方で断水時に水流入口２５への水の供給が遮断され、湯流入口２８から高温の湯のみが弁ケース１２内部に流入すると、補助感温ばね８８はその高温の湯に接する状態となり、ここにおいて補助感温ばね８８は変態を生じて図中右向きに強い力を発生させる。即ち湯弁４２を閉弁させるための強い力を発生させる。
これにより湯弁４２が閉弁し、吐水部から高温の湯が流出し続けるのが防止される。
尚、この図５の実施形態においても湯水混合弁の基本的な構成は図１及び図４に示したものと同様であり、対応する部分に符号のみを示して詳しい説明は省略する。
【００７７】
図６は本発明の更に他の実施形態を示している。
この例は、水と湯との流入口の図中左右方向の位置が、上記実施形態とは逆の位置となっており、湯流入口２８からの湯の流れが、その下流側の水流入口２５からの水の流れとともに、更に下流側の混合室３４へと流れ込む。
【００７８】
また混合弁３８は水弁４０と湯弁４２とが一体をなす構造とされており、そしてこれら水弁４０，湯弁４２の軸方向外側の位置において、弁ケース１２に水側弁座６４，湯側弁座６６が形成されている。
この混合弁３８には、バイアスばね６８の図中左端と主感温ばね７０の図中右端とが当接させられており、それらによる逆向きの付勢力が混合弁３８に直接及ぼされている。
【００７９】
この実施形態では、水流入口２５に続く内側の水流入室３０が混合室３４の外周側に隣接して形成されており、そしてその水流入室３０内に、形状記憶合金製の補助感温ばね９２が配置されている。
ここで補助感温ばね９２は、図中右端を混合弁３８に当接させ、また図中左端を弁ケース１２における第３部材１２-３に当接させている。
【００８０】
補助感温ばね９２は水流入室３０内にあって、通常時はその全体が水流入室３０内の水に接水するものであるが、この実施形態の場合、かかる水流入室３０が内側の混合室３４に隣接している。
そこでこの実施形態では、補助感温ばね９２が混合室３４内の混合水と通常時に接触しないように、第３部材１２-３に円環状に軸方向に立ち上がる仕切壁９４が設けられ、その仕切壁９４の外周側に補助感温ばね９２が配設されている。
従って補助感温ばね９２は、水流入口２５から水が流入する通常時においては、仕切壁９４の働きによって混合室３４内の混合水と接触することはない。
【００８１】
尚この実施形態では、回転操作軸１６に弁ケース１２内部で大径のフランジ部９６が設けられており、このフランジ部９６が弁ケース１２の内面に嵌合状態に組み付けられている。
【００８２】
このフランジ部９６からはねじ軸９８が延び出しており、そしてねじ軸９８の外周面の雄ねじ部７２に対して、その外周側の円筒形状をなす進退部材７１の雌ねじ部６９が螺合されている。
進退部材７１の外周面には、軸方向に延びる係合突条１００が設けられ、また一方弁ケース１２の内周面には対応する軸方向の係合溝１０２が形成されており、それら係合突条１００と係合溝１０２とが軸方向に摺動可能に係合させられている。
【００８３】
従ってこの実施形態では、回転操作軸１６を回転操作すると、ねじ軸９８の雄ねじ部７２と、進退部材７１の雌ねじ部６９とのねじ送りで、進退部材７１が図中左右方向に進退移動させられる。
上記バイアスばね６８は、図中右端がこの進退部材７１に当接させられ、その付勢力を混合弁３８に対し図中左向きに及ぼしている。
【００８４】
この実施形態では、補助感温ばね９２が通常時はその全体が水流入室３０内の水に接水した状態にあり、従ってかかる補助感温ばね９２として、図３の（Ａ）〜（Ｃ）の何れの動作温度域を有するものも使用可能である。
【００８５】
何れの場合においても水流入口２５への水の供給が遮断して、弁ケース１２内部に湯流入口２８から高温の湯だけが流入したとき、かかる補助感温ばね９２が弁ケース内部を満たした高温の湯に接する状態となり、ここにおいて補助感温ばね９２が変態を生じて湯弁４２を閉弁させる力を発生させる。
ここにおいて湯流入口２８からの湯の流入が遮断され、吐水部から高温の湯が吐水されるのが防止される。
【００８６】
以上本発明の実施形態を詳述したがこれらはあくまで一例示であり、本発明は補助感温体として上記形状記憶合金製の補助感温ばね以外のものを用いることも可能であるし、また本発明は上例以外の他の様々な構造，形態の湯水混合弁に適用することも可能である等、本発明はその趣旨を逸脱しない範囲において種々変更を加えた形態で構成可能である。
【図面の簡単な説明】
【００８７】
【図１】本発明の一実施形態の湯水混合弁の図である。
【図２】同実施形態の湯水混合弁の要部を分解して示した図である。
【図３】補助感温ばねとして使用可能な様々な動作温度域を有するものを例示した図である。
【図４】本発明の他の実施形態を示す図である。
【図５】本発明の更に他の実施形態を示す図である。
【図６】本発明の更に他の実施形態を示す図である。
【図７】従来の湯水混合弁の一例を示した図である。
【符号の説明】
【００８８】
１０  湯水混合弁
１２  弁ケース
２５  水流入口
２８  湯流入口
３０  水流入室
３２  湯流入室
３４  混合室
３８  混合弁
４０  水弁
４２  湯弁
６８  バイアスばね
７０  主感温ばね
８０，８２，８８，９２  補助感温ばね
８６  ばね収容室
９４  仕切壁
【図１】
2008128277.tif 000003
【図２】
2008128277.tif 000004
【図３】
2008128277.tif 000005
【図４】
2008128277.tif 000006
【図５】
2008128277.tif 000007
【図６】
2008128277.tif 000008
【図７】
2008128277.tif 000009